(57)【要約】【課題】電子機器相互間における通信速度判断方法ならびに電子機器を提供する。【解決手段】実施形態の電子機器は、無線通信手段と、報知手段と、を具備する。無線通信手段は、コンテンツ供給元が保持するコンテンツを、無線通信により転送する通信装置から受け取る。報知手段は、前記無線通信部の通信速度およびその変化を検出し、前記通信装置が転送する前記コンテンツの再生に影響を及ぼす場合、通信速度の状態を報知する。【選択図】図２
2014057152.tif 000002
【特許請求の範囲】
【請求項１】
コンテンツ供給元が保持するコンテンツを、無線通信により転送する通信装置から受け取る無線通信手段と、
前記無線通信部の通信速度およびその変化を検出し、前記通信装置が転送する前記コンテンツの再生に影響を及ぼす場合、通信速度の状態を報知する報知手段と、
を具備する電子機器。
【請求項２】
前記報知手段は、前記通信装置が前記コンテンツを転送することのできる物理的な最大通信速度と、前記物理的な最大通信速度の範囲内で通信速度を低下する要因と、前記電子機器に固有の通信速度を低下する要因に基づいて実効通信速度を推測し、推測した実効通信速度が前記コンテンツの要求する通信速度を下まわる場合に、前記コンテンツの再生に制限が生じるおそれがあることを報知する請求項１の電子機器。
【請求項３】
前記報知手段は、前記推測した実効通信速度が前記コンテンツの要求する通信速度を下まわる場合に、前記コンテンツの再生に制限が生じる程度を、段階的に報知する請求項２の電子機器。
【請求項４】
前記報知手段は、前記推測した実効通信速度が前記コンテンツの要求する通信速度を下まわる要因が、前記電子機器の前記無線通信部の設定に起因することを、報知する請求項１ないし３のいずれかの電子機器。
【請求項５】
前記電子機器は、前記報知手段が報知する表示を表示する表示手段をさらに具備する請求項１ないし４のいずれかの電子機器。
【請求項６】
コンテンツ供給元が保持するコンテンツを、無線通信により取得する入力手段と、
前記入力手段が取得したコンテンツを、再生する再生手段と、
前記入力手段に入力するコンテンツの通信状況（レート）の変化を検出し、前記再生手段による前記コンテンツの再生に影響が生じる場合、通信状況が変化していることを報知する報知手段と、
を具備する電子機器。
【請求項７】
前記報知手段は、前記通信装置が前記コンテンツを転送することのできる物理的な最大通信速度と、前記物理的な最大通信速度の範囲内で通信速度を低下する要因と、前記電子機器に固有の通信速度を低下する要因に基づいて実効通信速度を推測し、推測した実効通信速度が前記コンテンツの要求する通信速度を下まわる場合に、前記コンテンツの再生に制限が生じるおそれがあることを報知する請求項６の電子機器。
【請求項８】
前記報知手段は、前記推測した実効通信速度が前記コンテンツの要求する通信速度を下まわる場合に、前記コンテンツの再生に制限が生じる程度を、段階的に報知する請求項７の電子機器。
【請求項９】
前記報知手段は、前記推測した実効通信速度が前記コンテンツの要求する通信速度を下まわる要因が、前記電子機器の前記無線通信部の設定に起因することを、報知する請求項６〜８のいずれかの電子機器。
【請求項１０】
コンテンツを、無線通信により受け取る受け取り時の通信速度の変化を検出し、
通信速度が、コンテンツの再生に影響を及ぼす速度に変化していることを報知する
通信速度判断方法。
【発明の詳細な説明】
【技術分野】
【０００１】
この発明は、電子機器相互間における通信速度判断方法ならびに電子機器に関する。
【背景技術】
【０００２】
映像・音声の転送に、ＤＬＮＡ（Digital Living Network Alliance）等に準拠したネットワーク（ＬＡＮ、Local Area Network）を用いるデータ転送方法が広く普及している。また、ＩＥＥＥ（Institute of Electrical and Electronics Engineers）８０２．１１ｎの登場により、映像・音声の転送に、無線ＬＡＮを利用することも可能である。
【先行技術文献】
【特許文献】
【０００３】
【特許文献１】特開２００４−３４３１８９号公報
【発明の概要】
【発明が解決しようとする課題】
【０００４】
ネットワーク（ＬＡＮ）を用いるデータ転送方法においては、リンクアップ速度の不足等の要因により一部の機能に制限が生じる場合がある。しかしながら、制限が生じる要因を、ユーザーが特定することは困難である。
【０００５】
この発明の目的は、電子機器相互間における通信速度判断方法ならびに電子機器を提供することである。
【課題を解決するための手段】
【０００６】
実施形態の電子機器は、無線通信手段と、報知手段と、を具備する。無線通信手段は、コンテンツ供給元が保持するコンテンツを、無線通信により転送する通信装置から受け取る。報知手段は、前記無線通信部の通信速度およびその変化を検出し、前記通信装置が転送する前記コンテンツの再生に影響を及ぼす場合、通信速度の状態を報知する。
【図面の簡単な説明】
【０００７】
【図１】実施形態を適用する電子機器相互間の接続の一例を示す。
【図２】実施形態を適用する電子機器(受信側テレビ装置)の一例を示す。
【図３】実施形態を適用する電子機器相互間に適用する最大通信速度の一例を示す。
【図４】実施形態を適用する電子機器の通信速度の判定の一例を示す。
【図５】実施形態を適用する電子機器に適用するＭＡＣフレーム構造の一例を示す。
【図６】実施形態を適用する電子機器(受信側)の画面表示[接続設定]の一例を示す。
【図７】実施形態を適用する電子機器(受信側)の画面表示[接続完了]の一例を示す。
【図８】実施形態を適用する電子機器の画面表示[実効速度]の一例を示す。
【図９】実施形態を適用する電子機器の画面表示[実効速度]の一例を示す。
【図１０】実施形態を適用する電子機器の画面表示[実効速度]の一例を示す。
【図１１】実施形態を適用する電子機器の画面表示[実効速度]の一例を示す。
【図１２】実施形態を適用する電子機器の画面表示[速度低下]の一例を示す。
【図１３】実施形態を適用する電子機器の画面表示[テスト]の一例を示す。
【図１４】実施形態を適用する電子機器の画面表示[低下要素]の一例を示す。
【図１５】実施形態を適用する電子機器の画面表示[回避報知]の一例を示す。
【発明を実施するための形態】
【０００８】
以下、図面を参照して、本発明の実施の一形態について説明する。
【０００９】
図１は、実施形態を適用する電子機器及びこの電子機器との間で、例えばＩＥＥＥ（Institute of Electrical and Electronics Engineers）８０２．１１ｎにより、映像・音声の転送に、無線ＬＡＮを利用して別の電子機器との間でデータを転送するネットワーク接続の一例を示す。なお、ＩＥＥＥ８０２．１１ｎによる通信（ネットワーク接続）は、例えばＤＬＮＡ（Digital Living Network Alliance）ネットワークと称する場合もある。また、以下に説明する要素／構成は、ハードウエアで実現するものであってもよいし、マイクロコンピュータ（処理装置、ＣＰＵ（Central Processing Unit））により、ソフトウエアで実現するものであってもよい。
【００１０】
図１において、テレビ装置Ａ（第一の電子機器）１０１は、アクセスポイント（Access Point（ＡＰ）、無線通信端末）１との間で、上述したＩＥＥＥ８０２．１１ｎを適用した無線接続により、コンテンツすなわち映像・音声の転送が可能である。
【００１１】
アクセスポイント１には、テレビ装置Ｂ（第二の電子機器）２０１が、例えば有線接続により、コンテンツの受け渡しが可能となるように接続される。アクセスポイント１にはまた、携帯可能な電子機器、例えばタッチパネル式の入力機構を有するタブレット端末装置（第三の電子機器、例えばタブレットパーソナルコンピュータ（タブレットＰＣ）装置）３０１が、例えば無線接続（もしくは有線接続）により、コンテンツの受け渡しが可能となるように接続される。
【００１２】
なお、例えばテレビ装置Ｂ２０１には、レコーダ装置（第四の電子機器）４０１が、例えば有線接続により、テレビ放送の番組（コンテンツ）の記録と再生、及びコンテンツの受け渡しが可能となるように接続される。テレビ装置Ｂ２０１にはまた、ＮＡＳ（Network Attached Storage）と呼ばれる外部記憶装置（第五の電子機器）５０１が接続し、コンテンツを保持する。なお、レコーダ装置４０１としては、アクセスポイント１と、直接接続できる形式も実用化されている。また、アクセスポイント１がテレビ装置Ｂ２０１と一体化されていてもよい。
【００１３】
アクセスポイント１はまた、例えば有線接続によりサーバ１００１が接続し、同サーバを経由する外部ネットワーク網、例えばインターネット網ＩＮＴとの間のデータの受け渡し、あるいはインターネット網ＩＮＴとコンテンツの転送、等、が可能である。
【００１４】
なお、番組（上述コンテンツ等）は、映像（Video）及び、音声あるいは音楽（Audio）等を含む。また、映像は、動画と静止画、あるいはテキスト（コード化された符号列で示される文字や記号等で表される情報）、ならびにその任意の組み合わせを含む。
【００１５】
図１において、テレビ装置Ａ１０１は、アクセスポイント１との間の無線通信により、例えばテレビ装置Ｂ２０１（あるいは接続するＮＡＳ５０１）が保持するコンテンツ（番組）あるいはテレビ装置Ｂ２０１と接続するレコーダ装置４０１において録画されている番組（コンテンツ）、等を再生可能である。なお、タブレット装置３０１においても、例えばテレビ装置Ａ１０１が保持するコンテンツ（番組）を、アクセスポイント（ＡＰ）１との間の無線通信を通じて転送し、タブレット装置３０１で再生することができる。
【００１６】
テレビ装置Ａ１０１（第一の電子機器）は、図２に一例を示すが、チューナ１１１、復調部１１２、信号処理部１１３、音声処理部１２１、映像処理部１３１、ＯＳＤ処理部１３２、表示処理部１３３、制御部１５０、操作入力部１６１、及び受光部１６２を備える。また、テレビ装置Ａ１０１は、スピーカ１２２及びディスプレイ１３４を備える。
【００１７】
チューナ１１１は、例えばアンテナＡＮＴが受信するディジタル放送信号を受けつけ、放送信号のチューニング（チャンネル選局）を行う。チューナ１１１は、チューニングしたチャンネルの放送信号を復調部１１２に、入力する。
【００１８】
復調部１１２は、チューニングしたチャンネルの放送信号を復調する。復調部１１２は、復調した放送信号（コンテンツ）を信号処理部１１３に、入力する。
【００１９】
信号処理部１１３は、復調した放送信号（コンテンツデータ）を処理する信号処理手段すなわちＤＳＰ（Digital Signal Processor）を、少なくとも含む。信号処理部１１３は、復調部１１２が復調した放送信号（コンテンツ）を、映像信号、音声信号、及びその他のデータ信号に分離し、音声処理部１２１に音声信号を、映像処理部１３１に映像信号を、供給する。信号処理部１１３はまた、制御部１５０及び／またはＯＳＤ処理部１３２にデータ信号を供給する。
【００２０】
音声処理部１２１は、信号処理部１１３からのディジタル音声信号を、スピーカ１２２により再生可能なフォーマットの信号（オーディオ信号）に変換する。音声処理部１２１は、オーディオ信号をスピーカ１２２に供給する。スピーカ１２２は、供給されるオーディオ信号から、音声及び／または音響（Audio）を再生する。
【００２１】
映像処理部１３１は、信号処理部１１３から受信した映像信号を、ディスプレイ１３４で再生可能なフォーマットの映像信号を、ディスプレイ１３４で再生可能なフォーマットの映像信号にデコード（再生）する。また、映像処理部１３１は、ＯＳＤ処理部１３２から供給されるＯＳＤ信号を映像信号に重畳する。映像処理部１３１は、映像信号を表示処理部１３３に出力する。
【００２２】
ＯＳＤ処理部１３２は、信号処理部１１３から供給されるデータ信号、及び／または制御部１５０から供給される制御信号に基づいて、ＧＵＩ（Graphical User Interface、グラフィカルユーザーインタフェース）画面、字幕、時刻、または他の情報などを画面に重畳して表示するＯＳＤ信号を生成する。
【００２３】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号をディスプレイ１３４に供給する。ディスプレイ１３４は、供給される映像信号に基づいて映像（Video）を表示する。
【００２４】
ディスプレイ１３４は、例えば、マトリクス状に配列された複数の画素を備える液晶表示パネルと、この液晶パネルを照明するバックライトとを備える液晶表示装置などを備える。ディスプレイ１３４は、テレビ装置Ａ１０１から供給される映像信号に基づいて映像を表示する。
【００２５】
なお、テレビ装置Ａ１０１は、ディスプレイ１３４の代わりに映像出力端子を備える構成であってもよい。また、テレビ装置Ａ１０１は、スピーカ１２２の代わりに音声出力端子を備える構成であってもよい。
【００２６】
制御部１５０は、テレビ装置Ａ１０１の各部の動作を制御する制御手段（制御ブロック）として機能する。制御部１５０は、ＣＰＵ（主制御ユニット）１５１、ＲＯＭ（読み出し専用メモリ）１５２、ＲＡＭ（書き換え可能（ランダムアクセス）メモリ）１５３、及びＥＥＰＲＯＭ（不揮発性メモリ）１５４、等を備えている。制御部１５０は、操作入力部１６１、もしくは受光部１６２を通じてリモートコントローラ１６３から供給される操作信号に基づいて、種々の処理を行う。
【００２７】
ＣＰＵ１５１は、種々の演算処理を実行する演算素子、ファームウエアを保持し、実行するメモリ領域などを備える。ＣＰＵ１５１は、ＲＯＭ１５２、またはＥＥＰＲＯＭ１５４などに記憶されているプログラムを実行することにより種々の機能を実現する。
【００２８】
ＲＯＭ１５２は、テレビ装置Ａ１０１を制御するプログラム、及び各種の機能を実現するプログラム等、を記憶する。ＣＰＵ１５１は、操作入力部１６１、もしくはリモートコントローラ１６３から供給される操作信号に基づいて、ＲＯＭ１５２に記憶されているプログラムを起動する。これにより、制御部１５０は、各部の動作を制御する。
【００２９】
ＲＡＭ１５３は、ＣＰＵ１５１のワークメモリとして機能する。すなわち、ＲＡＭ１５３は、ＣＰＵ１５１の演算結果、ＣＰＵ１５１により読み込まれたデータ、操作入力部１６１もしくはリモートコントローラ（以下、リモコンと称する）１６３により入力される入力情報などを記憶する。
【００３０】
ＥＥＰＲＯＭ１５４は、各種の設定情報、及びプログラムなどを記憶する。
【００３１】
ストレージ１６０は、コンテンツを記憶する記憶媒体を有する。例えば、ストレージ１６０は、ハードディスクドライブ（ＨＤＤ）、ソリッドステートドライブ（ＳＳＤ）、または半導体メモリ等により構成される。ストレージ１６０は、信号処理部１１３が取得する録画ストリームを記憶することができる。
【００３２】
操作入力部１６１は、例えば操作キー、キーボード、マウス、タッチパッドまたは操作入力に応じて操作信号を生成する事ができる他の入力装置などを備える入力手段である。例えば、操作入力部１６１は、操作入力に応じて操作信号を生成する。操作入力部１６１は、生成した操作信号を制御部１５０に供給する。なお、タッチパッドは、静電容量式センサ、サーモセンサ、または他の方式に基づいて位置情報を生成するデバイスを含む。また、テレビ装置Ａ１０１がディスプレイ１３４を備える場合、操作入力部１６１は、ディスプレイ１３４と一体に形成されるタッチパネルなどを備える構成であってもよい。
【００３３】
受光部１６２は、例えばリモコン１６３からの操作信号を受信し、制御部１５０に供給する。制御部１５０は、受光部１６２から供給された信号に基づいてリモコン１６３から送信された元の操作信号を復号し、ＣＰＵ１５１に入力する。
【００３４】
リモコン１６３は、ユーザーの操作入力に基づいて操作信号を生成する。リモコン１６３は、生成した操作信号を赤外線通信により、受光部１６２に送信する。なお、受光部１６２及びリモコン１６３は、赤外線通信以下に、例えば所定周波数の電波等の他の無線通信により操作信号の送受信を行う構成であってもよい。
【００３５】
ＬＡＮインタフェース１７１は、アクセスポイント１を含むホームネットワーク（ＤＬＮＡ）上の上述のテレビ装置Ｂ２０１、レコーダ装置４０１、あるいはタブレット装置３０１相互の接続及びサーバ３を経由するインターネット網ＩＮＴとの間のデータの受け渡し、及びインターネット網ＩＮＴからのコンテンツのダウンロード（取得）、等を制御する。
【００３６】
無線通信部１７２は、上述のＩＥＥＥ８０２．１１（ａ／ｂ／ｇ／ｎ））規格に準拠する映像（Video）／音声（Audio）のストリーミング伝送、特に８０２．ｎを用いる高速転送が可能である。なお、無線通信部１７２は、ＬＡＮインタフェース１７１と一体であってもよい。
【００３７】
ＨＤＭＩ処理部１７３は、ＨＤＭＩ（登録商標）すなわちＨＤＭＩ（High Definition Multimedia Interface）規格に基づいた通信を行なうＨＤＭＩ端子を備えたインタフェースである。ＨＤＭＩ処理部１７３のＨＤＭＩ端子には、ブルーレイ（登録商標）レコーダ、ＤＶＤレコーダ、ハードディスクレコーダ、または他の機器とＨＤＭＩ規格に対応した機器（ＨＤＭＩ機器）、例えば上述したＮＡＳ５０１やレコーダ装置４０１が接続される。ＨＤＭＩ処理部１７３は、接続されたＨＤＭＩ機器から出力されたストリームを受信することができる。
【００３８】
制御部１５０は、ＨＤＭＩ処理部１７３により受信したコンテンツデータを信号処理部１１３に入力させる。信号処理部１１３は、受信したコンテンツデータからディジタル映像信号、及びディジタル音声信号などを分離する。信号処理部１１３は、分離したディジタル映像信号を映像処理部１３１に送信し、分離したディジタル音声信号を音声処理部１２１に送信する。
【００３９】
また、テレビ装置Ａ１０１は、例えばＳｅｒｉａｌ−ＡＴＡ（Serial-Advanced Technology Attachment）、ＨＤＭＩ−ＨＥＣ（HDMI Ethernet Channel）の接続端としても機能できるＬＡＮ端子等に代表される他のインタフェースを備えていても良い。
【００４０】
ところで、図１が示すテレビ装置Ａ１０１とアクセスポイント１との間のコンテンツの受け渡し、例えばテレビ装置Ｂ２０１と接続するＮＡＳ５０１やレコーダ装置４０１が保持するコンテンツをテレビ装置Ａ１０１において再生（視聴）する場合においては、特に映像（動画）を、安定的に伝送することが必要である。すなわち、テレビ装置Ａ１０１とアクセスポイント１との間の映像の伝送が安定的ではない場合、例えば高速（スキップ）再生等において、スキップ速度が低下する、あるいは再生中の映像にブロックノイズが入る、もしくは再生中の音声が途切れる、等の状態が生じる場合がある。
【００４１】
例えば、コンテンツ（映像（Video）／音声（Audio）のストリーミング伝送が可能な上述のＩＥＥＥ８０２．１１ｎ規格に従う機器相互間においては、５（５．２）ＧＨｚまたは２．４ＧＨｚ帯において最高３００Ｍｂｐｓの無線通信が可能であるが、装置間（この例では、テレビ装置Ａ１０１とアクセスポイント１との間の実効通信速度が低下する場合がある。なお、図３にＩＥＥＥ８０２．１１ｎにおいて適用可能な通信速度の組合せを示すが、テレビ装置Ａ１０１とアクセスポイント１との間の実際の最大通信速度は、コンテンツの種類やバンド幅等の組合せに基づいて推奨される（要求のある）ビットレート（bit rate）［Ｍｂｐｓ（メガ・ビット・パー・セコンド（秒））］を少なくとも上回っている必要がある。（なお、ビットレートは、データレートと称することもある）。必要なビットレートは、コンテンツの種類やバンド幅等の組み合わせ以外にも、早見再生などの特殊操作（トリックプレイ）あるいは、例えばテレビ装置Ａ１０１がレコーダ装置４０１に記録されているコンテンツを再生し、タブレット端末装置３０１がテレビ装置Ａ１０１に記録されているコンテンツを再生するような。アクセスポイント１としては、送信と受信を同時に行う同時動作によっても異なる。
【００４２】
また、アクセスポイント１を経由した無線接続において、実際にデータ転送に利用可能な実効速度（実効ビットレート）は、例えばコンテンツの暗号化方式（復号に一定の時間が必要となる）、アクセスポイント１との間の通信状況（同時に接続する機器の数）、バンド幅、周囲にあるほかのアクセスポイントとのチャンネルの重複、もしくはユーザーによるアクセスポイント１あるいはアクセスポイント１と接続する機器における設定、等により異なる。しかしながら、アクセスポイント１を経由した無線接続においては、接続時に適用された通信速度をユーザーが把握することは困難である（ユーザーは、アクセスポイント１と、図３に示したどの速度で接続したのか確認できない）。
【００４３】
このため、実効速度がコンテンツの再生に必要な速度に達しない、あるいは起動したアプリケーションが要求する速度を下まわる場合、ユーザーは、実際にコンテンツを再生することにより、あるいはアプリケーションを起動した結果として、実効速度がコンテンツの再生あるいはアプリケーションが要求する速度よりも低い、ことを認識できるのみである。なお、実効速度が低下する要因としては、上述の暗号化方式、アクセスポイント１との間の通信状況、バンド幅、チャンネルの重複、もしくはユーザーあるいはアクセスポイント１と接続する機器における設定、等に加え、アクセスポイント１に同時に接続する機器の数、等の影響も考慮する必要がある。
【００４４】
このような背景に基づき、実効速度がコンテンツの再生に必要な速度に達しない、あるいは起動したアプリケーションが要求する速度を下まわる場合、その通信速度を確保できない可能性があること、及びその達成度（実効速度の程度）に応じた警告（あるいはガイダンス）を、テレビ装置Ａ１０１の表示部（ディスプレイ）１３４に表示することが好ましい。このような表示が表示された場合、ユーザーは、テレビ装置Ａ１０１、レコーダ装置４０１（テレビ装置Ｂ２０１）、アクセスポイント１、等の通信経路内の任意のまたは複数の機器の異常（故障）を想定する必要がなくなり、例えば高速（スキップ）再生等において、スキップ速度が低下する、あるいは再生中の映像にブロックノイズが入る、等の現象が生じる要因を、早期に認識できる（いたずらに、装置の故障に疑念を持つことから解放される）。すなわち、ＤＬＮＡによる映像と音声の転送においては、リアルタイム性を必要とするため、一定の実効速度を確保できない場合、その機能を正常に使えないことがあり、その原因が機器の故障や不具合ではないことを知ることができる。先に述べたように、ユーザーは、アクセスポイント１と、どの速度で接続したのか確認できないため、実際に、ＤＬＮＡを経由するレコーダ装置４０１（テレビ装置Ｂ２０１）等の他の装置が保持するコンテンツを視聴してみて初めて、帯域が不足していることに気付くことになる。
【００４５】
従って、コンテンツ、特に映像コンテンツの伝送時に、レコーダ装置４０１やテレビ装置Ｂ２０１との間の無線接続完了時、あるいは帯域が不足する要因が生じた場合、等において、随時通信速度を検出し、必要に応じて、接続環境の改善や、有線による転送への切り替え、高帯域を使用する機能の利用の抑止等を、例えばＧＵＩによる画面表示により、ユーザーに報知ことが好ましい。
【００４６】
より詳細には、図４に一例を示すが、コンテンツ、特に映像コンテンツを安定的に伝送することが求められるアクセスポイント１の中継能力（最大）ついて、レコーダ装置４０１やテレビ装置Ｂ２０１との間の（無線）接続完了時に、チャンネル数や伝送方式、等のオプションに基づいて、コンテンツの転送に利用可能なデータレート（物理的なビットレート（bit rate））を習得（取得）し［０１］、ＭＡＣ（Media Access Control、メディアアクセスコントロール）フレーム構造における、実データ（コンテンツ本体）部分の転送速度（論理速度）を求め［０２］、暗号化方式（ＡＥＳ）に従い、復号に必要となる時間や受信強度（ＲＳＳＩ）の影響、あるいはチャンネル重複等に起因するスループットの低下を加味した実効速度を求め［０３］、求めた実効速度が、アプリケーションが推奨する通信速度、あるいはコンテンツの再生に必要な通信速度に達しない場合、または周囲の状況によって必要な通信速度が確保できない可能性がある場合［０４−ＹＥＳ］、その達成度（例えば、実効速度を要求される速度で割り算した値）に応じた警告を、表示部に表示する［０５］。
【００４７】
なお、物理速度に影響を与えるオプションとしては、例えばＳｈｏｒｔ  Ｇｕａｒｄ  Ｉｎｔｅｒｖａｌ（ショートガードインターバル）やＭＩＭＯ（２＿ｓｔｒｅａｍ、マイモ（ミモ、と称されることもある）／２＿ストリーム）、Ｄｕａｌ  Ｃｈａｎｎｅｌ（デュアルチャンネル）等がある。
【００４８】
また、論理速度（転送速度）は、図５に示す、例えばＭＡＣフレーム構造（ＩＥＥＥ８０２．１１ｎ）の１シンボルあたりのｂｉｔ（ビット）数と１シンボルを転送するために必要な時間から計算されるもので、ユーザーが転送したい実データのペイロード（論理速度）は、物理速度よりも遅くなる。すなわち、実データ以外に付属する様々なメタデータにより、１シンボルあたりに転送可能な実データの容量が制限を受けることになる。
【００４９】
またさらに、無線ＬＡＮ通信（無線通信端末を用いるＬＡＮ接続）では、暗号化方式の違いによるホスト装置の負荷（復号に必要となる時間）や受信強度（ＲＳＳＩ）等の環境の違い、あるいは周囲にある他のアクセスポイントとのチャンネル重複等も転送速度に影響する。その結果、実際に通信する際の実効速度は、無線規格の理論速度から乖離した速度となることも少なくない。従って、実効速度が無線規格の理論速度から乖離する可能性がある場合、すなわち実効速度がアプリケーションが利用するビットレートに満たない、等を検出できた場合は、警告（メッセージ）を表示することが好ましい。
【００５０】
このため、図４に一例を示した手順に従って求められた実効速度は、その他の無線機器が動作していない状態において、信頼性の高い値となる。この値と、各アプリケーションが要求するビットレート（bit rate）を比較し、実効速度が不足する可能性がある場合は、その達成度（実効速度の程度、上述の実効速度を要求される速度で割り算した値）に応じた警告を、ユーザーに通知する（例えば、第二のテレビ装置Ｃの表示部に、ＧＵＩ表示に準じて表示する）。ユーザーは、通知（表示）を基に、（接続）環境の改善や、有線による転送への切り替え、高帯域を使用する機能の利用の抑止する等の、対応が可能となる（行動を取ることができる）。
【００５１】
なお、アクセスポイント１と無線通信により接続する装置（機器）との間の通信設定は、例えば図６に示す通信設定画面表示６０１を表示させ、［使用する］表示６１１に、フォーカスをあて（表示を反転する）、もしくはカーソルの移動後、決定キー等による入力指示により、無線ＬＡＮの利用が可能となる。すなわち、［使用する］表示６１１にカーソルを合わせ、あるいはフォーカスをあてて、リモコン装置の「決定」ボタンをオンする、もしくは表示部の画面表示中の「青」ボタン、「赤」ボタン、「緑」ボタン、「黄」ボタンの４つに対応する指示入力の一つとして用意される対応する色のボタンをオンすることで、設定画面に対して選択入力（「決定」ボタンオンと同様の制御信号）が入力される。
【００５２】
図６に示す通信設定画面において、［使用する］が選択されることで、図７に示す、ネットワーク接続完了（利用するアクセスポイントを検出）表示７０１が、図６に示す通信設定画面に重ねて表示される。ネットワーク接続完了表示７０１においては、ＳＳＩＤや、認証方式、実効速度に対する検出結果等が、それぞれ、表示７１１、表示７１２、表示７２１、・・・、により表示される。なお、図７における表示７２１は、例えば送信と受信を同時に動作させたトリックプレイ（１．５倍速再生等）の利用においても支障の無い通信速度で接続されていることを表示した例である。
【００５３】
なお、図６に示す通信設定画面において［使用する］が選択され、図７に一例を示したその後表示されるネットワーク接続完了（利用するアクセスポイントを検出）表示は、ネットワーク接続完了時に検出した実効速度に基づいて、例えば図８〜図１１のような表示となる。
【００５４】
例えば図８の表示８２１は、アクセスポイントの設定の確認を促す＜実効速度がかなり低い／接続が不安定＞場合の表示例である。
【００５５】
同様に、ネットワーク接続完了（アクセスポイントを検出）時の実効速度が十分ではない場合には、例えば図９の表示９２１のように、映像・音声が止まったり、異音が生じる可能性がある、ことを報知する。
【００５６】
なお、図１０の表示１０２１は、例えば１．５倍速再生等の「早見再生」時に、映像・音声が止まったり、異音が生じる可能性がある、ことを報知する表示例である。
【００５７】
また、図１１の表示１１２１は、例えば通常の映像・音声の再生には支障の無い実効速度であるが、映像コンテンツの再生と（バックグラウンドでの）コンテンツの配信（ＤＭＳとＤＭＰの同時処理）において、実効速度が不足する場合の表示例である。
【００５８】
なお、図６に示す通信設定画面において［使用する］が選択された（アクセスポイント１を用いるネットワーク（ＤＬＮＡ）接続が設定された）以降に、何らかの理由で、実効速度が帯域不足等に陥る恐れのある速度に低下した場合、図１２に示すように、例えば映像コンテンツを表示中の画面内に、ＧＵＩ表示（ＯＳＤ（オンスクリーンディスプレイ）表示）１２１１により、実行実効速度が不足していることを、表示する。
【００５９】
この場合、図１３により以下に説明するが、ユーザーが『接続テスト』を選択することで、アクセスポイントを中心とするネットワーク内の実効速度（通信速度）が検出される。
【００６０】
図６に示す通信設定画面において、例えば、ユーザーが、「実効速度が不足する可能性がある場合のＧＵＩ表示」が表示された場合の対応として、ユーザーが『接続テスト』を実行する場合、例えば［接続テスト］表示６３１にフォーカスをあて、もしくはカーソルの移動後、決定キー等による入力指示を入力することで、『接続テスト』が起動する。
【００６１】
『接続テスト』が終了すると、テスト結果表示１３０１が表示される。テスト結果表示１３０１においては、ネットワーク方式、ＩＰアドレス、接続速度診断（結果）等が、それぞれ、表示１３１１、表示１３１２、表示１３２１、・・・、により表示される。なお、図１３における表示１３２１は、例えばトリックプレイ（１．５倍速再生等）の利用においても支障の無い通信速度であることを表示した例である。
【００６２】
なお、『接続テスト』画面（図１３）においては、実効速度が不足する場合に、その原因について、例えばテレビ装置Ｂ２０１もしくはレコーダ装置４０１（コンテンツ供給元）の通信速度の設定、あるいはテレビ装置Ａ１０１（コンテンツ再生中の装置）、アクセスポイント１との間の接続速度等の実効速度が低下する要因がどこにあるか、を診断することも可能である。例えば図１３の表示において、「速度低下を分析する」表示１３５１にフォーカスをあて、もしくはカーソルを移動後、決定キー等による入力指示を入力することで、例えば『速度低下を分析』するための分析モードが起動する。
【００６３】
これにより、例えば図１における接続において、テレビ装置Ａ１０１とアクセスポイント１を介在した無線通信によるＤＬＮＡ接続を用いてテレビＢ２０１もしくはレコーダ装置４０１が保持するコンテンツをテレビ装置Ａ１０１により視聴する場合において、アクセスポイント１とテレビ装置Ａ１０１との間の実効速度が低い、等がチェックされる。なお、チェック結果に従い、例えばアクセスポイント１がＩＥＥＥ８０２．１１のどの規格に対応しているか、すなわち８０２．１１ｎであるか、それ以前の規格であるｇ，ｂ，ａ等に対応しているか、Dual Channelには対応しているか、Short Gurd Intervalには対応しているか、A-MPDUに対応しているか、等が確認される。従って、理論速度が十分であるにもかかわらず実効速度が充分でない場合は、チャンネルを変更して見ることを薦めたりすることが可能である。
【００６４】
この場合、例えば図１４において、例えばＧＵＩ表示１４０１により、現在ＡＰ経由でコンテンツを再生中の装置（この例ではテレビ装置Ａ１０１）の表示部に、『装置Ｂ２０１／ＮＡＳ５０１／レコーダ装置４０１＜実際に、例えばＭＡＣアドレスから取得できる『機種名』あるいはＨＤＭＩ等で接続されているネットワーク／相互記録システム内の『接続名』等を表示することが好ましい＞』、『装置Ａ１０１＜同『機種名』あるいは『接続名』＞』、及び『アクセスポイント１＜同『機種名』あるいは『接続名』＞』、等を実際の接続に従い（仮想的に）表示し、「通信速度（実効速度）が接続を点滅する」、等により、ユーザーに通知することも可能である。
【００６５】
なお、図１５に一例を示すが、例えば図１４に示すユーザーへの通知において、「アクセスポイント１とテレビ装置Ａ１０１（本機）との間の通信設定を点検してください」、あるいは「有線による転送に切り替えて下さい」、もしくは「高帯域を使用する機能の利用を中止してください」等の、ユーザーの対応により回避可能な通信速度の低下を抑止するメッセージ（表示）１５５１が表示がされてもよい。
【００６６】
この場合、ＧＵＩ表示により、例えば図１４が示すように、現在、アクセスポイント１経由でコンテンツを再生中の装置（この例ではテレビ装置Ａ１０１）の表示部に、『装置Ｂ２０１／ＮＡＳ５０１／レコーダ装置４０１＜実際に、例えばＭＡＣアドレスから取得できる『機種名』あるいはＨＤＭＩ等で接続されているネットワーク／相互記録システム内の『接続名』等を表示することが好ましい＞』、『装置Ａ１０１＜同『機種名』あるいは『接続名』＞』、及び『アクセスポイント１＜同『機種名』あるいは『接続名』＞』、等を実際の接続に従い（仮想的に）表示し、「通信速度（実効速度）が接続を点滅する」、等により、ユーザーに通知することも可能である。
【００６７】
なお、図１３により説明したユーザーによる『接続テスト』の実行（ユーザーによる指示入力に従う『接続テスト』の実行）とは独立に、例えば［１］ネットワーク接続時（セットアップ完了時）、［２］接続テスト時、あるいは［３］ストリーム受信中に速度低下を検出（例えば、アクセスのリトライが増え始めたことを検出）したとき、等の通信速度の低下を検出可能な任意のタイミングにおいてＡＰ７を中心とするネットワーク内の実効速度（通信速度）が検出されてもよい。
【００６８】
上述のように、アクセスポイント（無線通信端末装置）との接続時に、実効速度（その接続における最大通信速度）を精度よく計算し、アプリケーションの実行やコンテンツの再生に要求されるビットレート（bit rate）と比較して実効速度が小さい（低い）場合には、ユーザーに、その旨すなわち通信速度が低下していること、速度低下により再生等に制限が生じる可能性があること等を報知することで、例えば再生中の映像にブロックノイズが入る、等の現象が生じる要因を、早期に（ユーザーに）認識してもらうことができる（ユーザーに、いたずらに、装置の故障に疑念を持つことから解放される）。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１…アクセスポイント（無線通信端末）、１０１…テレビ装置Ａ（第一の電子機器）、２０１…テレビ装置Ｂ（第二の電子機器）、３０１…タブレット端末装置（第三の電子機器）、４０１…レコーダ装置、５０１…外部記憶装置（第五の電子機器）。
【図１】
2014057152.tif 000003
【図２】
2014057152.tif 000004
【図３】
2014057152.tif 000005
【図４】
2014057152.tif 000006
【図５】
2014057152.tif 000007
【図６】
2014057152.tif 000008
【図７】
2014057152.tif 000009
【図８】
2014057152.tif 000010
【図９】
2014057152.tif 000011
【図１０】
2014057152.tif 000012
【図１１】
2014057152.tif 000013
【図１２】
2014057152.tif 000014
【図１３】
2014057152.tif 000015
【図１４】
2014057152.tif 000016
【図１５】
2014057152.tif 000017